(57)【要約】【課題】カードホルダを棚板正面に一様な接着力に接着する。【解決手段】棚板ＳＢの正面ＦＰに接着され、カードホルダ機能を有する木口材１０であって、表面１８と接着面である裏面２６とを備える帯状のベース部材１２と、前記ベース部材１２の長手方向Ｗから見たときに一端１６が前記ベース部材１２の表面１８に固定されている概「Ｌ」字形状の断面を備える透明部材１４と、前記透明部材１４の他端に前記ベース部材１２の表面１８に向かって伸びる突起部２０とを有する。【選択図】    図２
2008289531.tif 000002
【特許請求の範囲】
【請求項１】
棚板の正面に接着され、カードを保持するカードホルダ機能を有する木口材であって、
表面と接着面である裏面とを備える帯状のベース部材と、
前記ベース部材の長手方向から見たときに一端が前記ベース部材の表面に固定されている概「Ｌ」字形状の断面を備える透明部材と、
前記透明部材の他端に設けられた前記ベース部材の表面に向かって伸びる突起部とを有することを特徴とする木口材。
【請求項２】
請求項１に記載の木口材において、
前記ベース部材は、前記長手方向から見たときに下辺が上辺に比べて長く、前記上辺および下辺が前記裏面に対して直交する台形形状の断面を備え、
前記透明部材の一端は、前記裏面に対して垂直に維持されつつ前記表面に固定され、
前記突起部は、前記裏面に対して垂直に維持しつつ前記表面に向かって伸びていることを特徴とする木口材。
【請求項３】
請求項１または２に記載の木口材において、
前記裏面がプライマ処理されていることを特徴とする木口材。
【請求項４】
正面にカードホルダを備える棚板であって、
請求項１〜３のいずれかに記載の木口材を正面に備えることを特徴とする棚板。
【発明の詳細な説明】
【技術分野】
【０００１】
本発明は、商品の陳列棚などの棚板の正面に取り付けられる木口材およびそれを備える棚板に関し、棚板を備える構造物の製造分野に属する。
【背景技術】
【０００２】
例えば、商品が置かれた陳列棚の棚板の正面には、商品の名前や価格などの該商品に関する情報を記載したカードがカードホルダによって保持されている。このようなカードホルダとして、例えば、特許文献１に記載のものがある。これは、棚板正面の長手方向から見た断面がカード収納部と取付け部とで「Ｚ」字形状とされた透明樹脂製のカードホルダであって、棚板の正面近傍に形成された上方に開いた溝部に取付け部が架けられて使用される。
【０００３】
【特許文献１】特開２００４−２４５６５公報
【発明の開示】
【発明が解決しようとする課題】
【０００４】
ところが、特許文献１に記載のカードホルダの場合、棚板に溝部が形成されていることが前提である。棚板、特に木質系の棚板は、このようなカードホルダを架けるための溝部がないことが多い。
【０００５】
そこで、図７に断面が示されたカードホルダ１１０、具体的に言えば帯状のベース部材１１２（図面と直交する方向を長手方向とする部材）と該長手方向から見たときに一端１１４が該ベース部材１１２に固定されている概ね「Ｌ」字形状の透明部材１１６とからなるカードホルダ１１０を棚板正面に接着剤によって接着することが考えられるが、棚板正面に向かって押圧してカードホルダ１１０のベース部材１１２と棚板正面との間の接着力が一様になる（間の接着剤層の厚さが一様になる）ように接着するのは難しい。
【０００６】
特に、人間の手ではなく、木口材を棚板正面に接着する縁貼機等の装置で実行する場合、例えば、図８（Ａ）に示すように縁貼機の押圧ローラ１５０によってカードホルダ１１０の透明部材１１６を棚板ＳＢの正面に向かって押圧すると、ベース部材１１２に作用する押圧力は、透明部材１１６の一端１１４が固定されているベース部材１１２部分の押圧力が局所的に大きくなり、図８（Ｂ）に示すように棚板ＳＢの厚さ方向に関して一様でなくなる。そのため、カードホルダ１１０のベース部材１１２と棚板ＳＢの正面の間の接着剤層１５２の厚さが一様でなくなり、その結果、ベース部材１１２と棚板ＳＢの正面との間の接着力が一様でなくなる。
【０００７】
そこで、本発明は、棚板正面に向かって押圧して棚板正面との間の接着力が一様になるように該棚板正面に接着することができ、カードホルダ機能を有する木口材およびそれを備えた棚板を提供することを課題とする。
【課題を解決するための手段】
【０００８】
上述の課題を解決するために、本願の請求項１に記載の発明は、棚板の正面に接着され、カードを保持するカードホルダ機能を有する木口材であって、表面と接着面である裏面とを備える帯状のベース部材と、前記ベース部材の長手方向から見たときに一端が前記ベース部材の表面に固定されている概「Ｌ」字形状の断面を備える透明部材と、前記透明部材の他端に設けられた前記ベース部材の表面に向かって伸びる突起部とを有することを特徴とする。
【０００９】
また、請求項２に記載の発明は、請求項１に記載の木口材において、前記ベース部材は、前記長手方向から見たときに下辺が上辺に比べて長く、前記上辺および下辺が前記裏面に対して直交する台形形状の断面を備え、前記透明部材の一端は、前記裏面に対して垂直に維持されつつ前記表面に固定され、前記突起部は、前記裏面に対して垂直に維持しつつ前記表面に向かって伸びていることを特徴とする。
【００１０】
さらに、請求項３に記載の発明は、請求項１または２に記載の木口材において、前記裏面がプライマ処理されていることを特徴とする。
【００１１】
さらにまた、請求項４に記載の発明は、正面にカードホルダを備える棚板であって、請求項１〜３のいずれかに記載の木口材を正面に備えることを特徴とする。
【発明の効果】
【００１２】
請求項１に記載の発明によれば、木口材のベース部材の裏面と棚板正面をその間に接着剤を介在させて対向させ、その状態で「Ｌ」字形状の透明部材を棚板正面に向かって押圧すると、その押圧力が透明部材の一端と、他端に設けられた突起部を介してベース部材に伝わる。これにより、ベース部材が略一様の押圧力によって棚板正面に押し当てられる。その結果、ベース部材の裏面と棚板正面の間の接着力が略一様になる、言い換えると接着剤層厚さが略一様になる。したがって、木口材を、透明部材を棚板正面に向かって押圧する装置、例えば押圧ローラを備える縁貼機などによって棚板正面にその間の接着力が略一様になるように接着することができる。
【００１３】
また、請求項２に記載の発明によれば、ベース部材は、長手方向から見たときに下辺が上辺に比べて長く、上辺および下辺が裏面に対して直交する台形形状の断面を備え、透明部材の一端は、裏面に対して垂直に維持されつつ前記表面に固定され、突起部は、裏面に対して垂直に維持しつつ表面に向かって伸びている。これにより、カードを収納するための空間、言い換えると透明部材とベース部材の間の空間は、上側が透明部材とベース部材の間の距離が大きく、下側がその距離が小さい空間となる。したがって、この空間にカードを収納したとき、カードの下部が透明部材とベース部材の間に挟持された状態になり、カードは空間内に固定される。その結果、カードが透明部材とベース部材の間から抜け落ちにくくなる。
【００１４】
さらに、請求項３に記載の発明によれば、木口材のベース部材の裏面がプライマ処理されているため、裏面と棚板正面の間の接着力が向上する。
【００１５】
さらにまた、請求項４に記載の発明によれば、棚板は上記木口材をその正面に備えることにより、例えば棚板上に陳列された商品の情報を記載したカードを棚板正面に保持することができる。言い換えると、棚板は、その正面にカードホルダを保持することになる。
【発明を実施するための最良の形態】
【００１６】
図１は、本発明に係る一実施形態の木口材を部分的に示す図である。また、図2は木口材の断面図である。なお、本実施の形態の木口材は、木質系棚板の正面（木口面）に接着される木口材である。
【００１７】
図１示すように、木口材１０は、方向Ｗを長手方向とする帯状のベース部材１２と、ベース部材１２に固定された透明部材１４から構成される。これらは、例えば、ＰＶＣ樹脂やアクリル樹脂などで作成されている。なお本発明においては、可撓性があって、透明部材に関しては透明であれば、これらの材料は限定しない。
【００１８】
木口材１０の長手方向Ｗから見た断面を示す図2に示すように、透明部材１４は概ね「Ｌ」字形状の部材であって、一端（棚板の厚さＤ方向に関して下側端）１６がベース部材１２の表面１８に固定されている。
【００１９】
一方、「Ｌ」字形状の透明部材１４の他端（上側端）には、ベース部材１２の表面１８に向かって伸びる突起部２０が形成されている。なお、突起部２０は、透明部材１４の一端１６とは異なりベース部材１２に固定されておらず、わずかに離れている、または触れている。
【００２０】
透明部材１４とベース部材１２の間の空間２２に、例えば棚板ＳＢ上に展示される商品の名前や値段などの情報が記載されたカードが収納される。カードは、透明部材１４の突起部２０とベース部材１２の間から空間２２に挿入される。カード挿入時、透明部材２０は、ベース部材１２の反対側にたわみ変形する。また、突起部２０の空間２２の反対側には、カードを挿入しやすくするためのガイド（面取り部分）２４が形成されている。
【００２１】
べース部材１２の裏面２６は、棚板ＳＢの正面ＦＰとの間の接着力を高めるためにプライマ処理が施されている。なお、ベース部材１２は、透明部材１４と同様に透明であってもよいが、接着される木質系棚板ＳＢと略同色を備えてもよい。棚板ＳＢに接着されたとき、棚板ＳＢの正面ＦＰを隠して意匠性を高めることができる。
【００２２】
次に、木口材１０を棚板ＳＢの正面ＦＰに接着する方法を説明する。
【００２３】
図３は、木口材１０を棚板ＳＢの正面ＦＰに縁貼機５０によって接着する方法を概略的に示す図である。
【００２４】
まず、木口材１０は、ベース部材１２の裏面２６が外側に向いた状態でロール状に巻回されている。このようなロールは、木口材１０が射出成形機によって長手方向Ｗに射出成形されて作製されたものである。別の観点から見れば、図２に示すように透明部材１４の厚さＬ１やベース部材１２の厚さＬ２は、巻回可能な厚さ、例えば約１ｍｍにされている。
【００２５】
縁貼機５０は、ロールから木口材１０を、複数のローラ５２、５４(図示しないロールも含む)によって引き出しつつ所定のルートに従って搬送するように構成されている。
【００２６】
ローラ５２は、木口材１０の裏面２６に接着剤を塗布するための塗布ローラであって、木口材１０の裏面２６と接触している。
【００２７】
木口材１０の搬送方向に関して塗布ローラ５２の下流側には、搬送手段（図示せず）によって水平方向に搬送されてくる棚板ＳＢの正面ＦＰと対向するように配置された２つの押圧ローラ５４が存在する。押圧ローラ５４は、移動する棚板ＳＢの正面ＦＰに裏面２６に接着剤が塗布された木口材１０を押圧し、木口材１０の裏面２６と棚板ＳＢの正面ＦＰとを接着するように構成されている。
【００２８】
また、押圧ローラ５４は、水平方向に搬送されている棚板ＳＢの正面ＦＰに木口材１０を水平に接着するためのガイド（鉛直方向、すなわち棚板ＳＢの厚さ方向に関して木口材を位置決めするガイド）を５６を備える（図４参照。）。
【００２９】
このような縁貼り機５０によれば、図４（Ａ）に示すように、まず、透明部材１４が押圧ローラ５４に押圧される。それにより、透明部材１４の突起部２０がベース部材１２に接触する。その結果、棚板ＳＢの厚さ方向に関する押圧力分布を示す図４（Ｂ）のように、ベース部材１２には、透明部材１４の一端１６が固定されている部分と突起部２０が接触している部分とをピークとする厚さ方向に関して略一様な押圧力が作用する。これにより、ベース部材１２と棚板ＳＢとの間の接着力が略一様になる。言い換えると、ベース部材１２と棚板ＳＢとの間の接着剤層６０の厚さが略一様になる。
【００３０】
本実施形態によれば、木口材１０は、棚板ＳＢの正面ＦＰに一様な接着力で接着される。また、棚板ＳＢは木口材１０をその正面ＦＰに備えることにより、例えば棚板上に陳列された商品の情報を記載したカードを棚板正面に保持することができる。言い換えると、棚板ＳＢは、その正面ＦＰにカードホルダを保持することになる。
【００３１】
以上、上述の実施形態を挙げて本発明を説明したが、本発明はこれに限定されない。
【００３２】
例えば、上述の実施形態においては、縁貼機を使用して棚板正面に木口材を接着しているが、本発明はこれに限定されない。本発明は、広義には、接着される棚板正面に向かって木口材を押圧する場合に、木口材を一様な接着力で棚板正面に接着することを可能とする構造を有する該木口材である。
【００３３】
また、木口材が縁貼機を用いて棚板正面に接着することが可能である場合、具体的に言えば、上述の実施形態のように木口材の厚さが棚板への接着に縁貼機を利用できるほど薄い場合、縁貼機が備えるエンドカッタによって長手方向にははみ出た木口材の部分（図３のＰ１部分）を切断除去してもよい。また、棚板の厚さ方向にはみ出た木口材部分（図４のＰ２部分）をトリミングカッタで切断除去してもよい。これにより、木口材が正面からはみ出ることなく該正面に接着された、意匠性の高い棚板が作製される。
【００３４】
さらに、本発明の木口材は、図５に示すように、カード以外のものを収納することもできる。図５は、カードホルダを収納（保持）している状態を示している。木口材１０は、カードホルダＣＨの先端部ＣＨｐをカード収納空間２２に収納しつつ、突起部２０とベース部材１２により挟持している。すなわち木口材１０は、カードホルダＣＨ（これに限らず）を移動不可能に保持することができる。
【００３５】
さらにまた、上述の実施形態においては、ベース部材の長手方向の断面形状は図１、２、４および５に示すように長方形形状であるが、本発明はこれに限定しない。
【００３６】
例えば、図６に示す木口材７０のように、ベース部材７２は長手方向から見て台形形状の断面を備えてもよい。ベース部材７２の断面は、下辺７２ｂが上辺７２ａに比べて長く、上辺７２ａおよび下辺７２ｂが裏面８６に対して直交するような台形形状である。
【００３７】
また、「Ｌ」字形状の透明部材７４の一端７６は、ベース部材７２の裏面８６に対して垂直に維持しつつ該ベース部材７２の表面７８に固定されており、他端に設けられた突起部８０は、裏面８６に対して垂直に維持しつつ表面７８に向かって伸びている。
【００３８】
木口材７０の場合、上述の実施形態の木口材１０とは異なり、カードを収納する空間８２、言い換えると透明部材７４とベース部材７２の間の空間８２は、上側か透明部材７４とベース部材７２の間の距離が大きく、下側がその距離が小さい空間となる。したがって、空間８２にカードを収納したとき、カードの下部が透明部材７４とベース部材７２の間に挟持された状態になり、カードは空間８２内に固定される。その結果、カードが透明部材７４とベース部材７２の間から向け落ちにくくなる。
【産業上の利用可能性】
【００３９】
以上のように本発明によれば、木口材を棚板正面に一様な接着力で接着することができる。したがって、木口材を備える棚板を有する棚の生産分野において好適に利用される可能性がある。
【図面の簡単な説明】
【００４０】
【図１】本発明の一実施形態の木口材の部分斜視図である。
【図２】図１に示す木口材の断面図である。
【図３】棚板正面に木口材を接着する方法と装置を示す図である。
【図４】本発明の木口材が押圧されて棚板正面に接着される様子と押圧力分布を示す図である。
【図５】本発明の木口材の別の利点を説明するための図である。
【図６】本発明の別の実施形態の木口材の断面図である。
【図７】従来のカードホルダの断面図である。
【図８】従来のカードホルダが押圧されて棚板正面に接着される様子と押圧力分布を示す図である。
【符号の説明】
【００４１】
１０  木口材
１２  ベース部材
１４  透明部材
１６  一端
１８  表面
２０  突起部
２６  裏面
ＳＢ  棚板
ＦＰ  正面
Ｗ    長手方向
【図１】
2008289531.tif 000003
【図２】
2008289531.tif 000004
【図３】
2008289531.tif 000005
【図４】
2008289531.tif 000006
【図５】
2008289531.tif 000007
【図６】
2008289531.tif 000008
【図７】
2008289531.tif 000009
【図８】
2008289531.tif 000010